(57)【特許請求の範囲】
【請求項１】
楽曲のデータのファイル名を外部から受信する手段と、
楽曲のタイトル、歌手名および識別情報を対応付けした楽曲データベースのタイトル及び歌手名に基づき、複数の前記受信したファイル名と前記楽曲データベースのタイトルとのタイトル合致度及び前記ファイル名と前記楽曲データベースの歌手名との歌手名合致度を算出する手段と、
算出した前記受信したファイル名と前記楽曲データベースのタイトルとのタイトル合致度に第１重みを付与し、前記ファイル名と前記楽曲データベースの歌手名との歌手名合致度に前記第１重みより小さい第２重みを付与する手段と、
前記第１重みが付与されたタイトル合致度及び前記第２重みが付与された歌手名合致度から所定合致度以上のタイトル及び歌手名を抽出する抽出手段と、
前記抽出手段により抽出した歌手名に対応するタイトルおよび識別情報を前記楽曲データベースから読み出す手段と、
前記抽出手段により抽出したタイトルおよび該タイトルに対応づけて前記楽曲データベースに記憶された識別情報と、読み出した歌手名に対応するタイトルおよび識別情報とを外部へ送信する送信手段と、
前記送信したタイトル及び歌手名に対応するタイトルから選択されたタイトルを受信する手段と、
該受信したタイトルに対応する歌詞データを、タイトルに対応付けて歌詞データを記憶した歌詞データベースから読み出して配信する手段と
を備える楽曲にあわせて表示される歌詞データを配信する配信装置に接続される携帯端末機において、
楽曲のデータのファイル名の選択を受け付ける第１受け付け手段と、
受け付けたファイル名を前記配信装置へ送信する手段と、
タイトルおよび識別情報と歌手名に対応するタイトルおよび識別情報とを前記配信装置から受信する受信手段と、
該受信した配信候補となるタイトル及び歌手名に対応するタイトルから一のタイトルの選択を受け付け送信する第２受け付け手段と、
前記ファイル名に係る楽曲の再生にあわせて、前記配信装置から配信される歌詞データを表示部に表示する手段と、
前記第２受け付け手段により歌詞データの配信候補となるタイトル及び歌手名に対応するタイトルから一のタイトルの選択を受け付け後に、前記第１受け付け手段による受け付けた前記ファイル名と、前記第２受け付け手段により受け付けた一のタイトルおよび前記受信手段により受信した前記一のタイトルに対応する識別情報とを対応付けて記憶する手段と
を備えることを特徴とする携帯端末機。
【発明の詳細な説明】
【技術分野】
【０００１】
本発明は、楽曲にあわせて表示される歌詞データを配信する配信方法、配信システム、該配信システムを構成する携帯端末機に関する。
【背景技術】
【０００２】
近年、携帯電話機等の携帯端末機へ楽曲を配信するサービスが盛んに行われている。ユーザは、ネットワークを通じて楽曲をダウンロードし、これを再生して楽しむことができる。また、このダウンロードした楽曲を携帯電話機の着信音に設定する等、多彩な用途で楽曲を楽しむことができる。
【０００３】
また、楽曲に加えて、当該楽曲に対応する歌詞データを配信するサービスもなされている。携帯電話機等の携帯端末機は液晶ディスプレイ等の表示画面を有するため、この表示画面にダウンロードした歌詞を表示することにより、ユーザは歌詞を見ながら楽曲の再生にあわせて歌唱することができる。この歌詞データを取得する場合、歌手名、タイトル、フレーズ等を入力して検索を行い、ユーザは検索した歌詞データをダウンロードする。なお、コンパクトディスク等の記録媒体に記録されたＴＯＣ（Table Of Contents）情報を基に、楽曲の歌詞データを検索する技術も知られている（例えば、特許文献１及び２参照）。
【特許文献１】特開２００２−４１５２７号公報
【特許文献２】特開２００５−７０４７２号公報
【発明の開示】
【発明が解決しようとする課題】
【０００４】
しかしながら、従来の歌詞データの検索は、数万曲の中から、ユーザが携帯端末機を用いて、歌手名、タイトルまたはフレーズ等を入力して検索する必要があり、文字の入力に時間を要し、また多くの曲数を携帯端末機の小さな画面に表示する必要があり、操作性、表示性の面で問題があった。またユーザによっては楽曲を検索するキーを容易に思いつかない場合もあり、かかる場合、検索自体が行えないという問題もあった。さらに特許文献１及び２に開示された検索は、規格化されたＴＯＣ情報を用いるものであり、そのような情報が付与されていない携帯端末機に対する音楽配信サービスでは、そもそもＴＯＣ情報を活用できないため、これらの問題を解決できない。
【０００５】
本発明は斯かる事情に鑑みてなされたものであり、その目的は、楽曲のファイル名を用い、当該ファイル名と、楽曲データベースのタイトル及び歌手名とに基づき配信候補となるタイトルまたは歌手名を検索することにより、ユーザに携帯端末機の小さな入力部を用いて文字等を入力させることなく、簡易に希望する歌詞データを配信することが可能な携帯端末機を提供することにある。
【０００６】
本発明の他の目的は、ファイル名と、楽曲データベースのタイトルまたは歌手名とを比較して合致度を算出し、合致度に基づき配信候補となる複数のタイトルまたは歌手名を抽出し、そして合致度順に候補となるタイトルまたは歌手名を並び替えることにより、多くの候補が検索された場合でも、ユーザが真に求める歌詞データを提供することが可能な携帯端末機を提供することにある。
【０００７】
本発明の他の目的は、ファイル名が歌手名に合致した場合に、当該歌手名に対応するタイトルを抽出して送信することにより、広い選択肢をもってより精度高く歌詞データを配信することが可能な携帯端末機を提供することにある。
【０００８】
本発明の他の目的は、ファイル名とタイトルとの比較、ファイル名と歌手名との比較における合致度算出処理において異なる重み付けを付与することにより、より精度高く歌詞データを配信することが可能な携帯端末機を提供することにある。
【０００９】
本発明の他の目的は、ファイル名と、選択したタイトルまたは該タイトルを特定するための識別情報とを対応付けて記憶することにより、ユーザが一度検索を終了した場合、再度検索することなく容易に歌詞データの表示を行うことが可能な携帯端末機等を提供することにある。
【課題を解決するための手段】
【００１０】
本発明に係る携帯端末機は、楽曲のデータのファイル名を外部から受信する手段と、楽曲のタイトル、歌手名および識別情報を対応付けした楽曲データベースのタイトル及び歌手名に基づき、複数の前記受信したファイル名と前記楽曲データベースのタイトルとのタイトル合致度及び前記ファイル名と前記楽曲データベースの歌手名との歌手名合致度を算出する手段と、算出した前記受信したファイル名と前記楽曲データベースのタイトルとのタイトル合致度に第１重みを付与し、前記ファイル名と前記楽曲データベースの歌手名との歌手名合致度に前記第１重みより小さい第２重みを付与する手段と、前記第１重みが付与されたタイトル合致度及び前記第２重みが付与された歌手名合致度から所定合致度以上のタイトル及び歌手名を抽出する抽出手段と、前記抽出手段により抽出した歌手名に対応するタイトルおよび識別情報を前記楽曲データベースから読み出す手段と、前記抽出手段により抽出したタイトルおよび該タイトルに対応づけて前記楽曲データベースに記憶された識別情報と、読み出した歌手名に対応するタイトルおよび識別情報とを外部へ送信する送信手段と、前記送信したタイトル及び歌手名に対応するタイトルから選択されたタイトルを受信する手段と、該受信したタイトルに対応する歌詞データを、タイトルに対応付けて歌詞データを記憶した歌詞データベースから読み出して配信する手段とを備える楽曲にあわせて表示される歌詞データを配信する配信装置に接続される携帯端末機において、楽曲のデータのファイル名の選択を受け付ける第１受け付け手段と、受け付けたファイル名を前記配信装置へ送信する手段と、タイトルおよび識別情報と歌手名に対応するタイトルおよび識別情報とを前記配信装置から受信する受信手段と、該受信した配信候補となるタイトル及び歌手名に対応するタイトルから一のタイトルの選択を受け付け送信する第２受け付け手段と、前記ファイル名に係る楽曲の再生にあわせて、前記配信装置から配信される歌詞データを表示部に表示する手段と、前記第２受け付け手段により歌詞データの配信候補となるタイトル及び歌手名に対応するタイトルから一のタイトルの選択を受け付け後に、前記第１受け付け手段による受け付けた前記ファイル名と、前記第２受け付け手段により受け付けた一のタイトルおよび前記受信手段により受信した前記一のタイトルに対応する識別情報とを対応付けて記憶する手段とを備えることを特徴とする。
【００１９】
本発明にあっては、携帯端末機は、楽曲のデータのファイル名の選択を受け付け、選択されたファイル名を配信装置へ送信する。配信装置は、送信されたファイル名、並びに、楽曲のタイトル及び歌手名を対応付けした楽曲データベースのタイトル及び歌手名に基づき配信候補となるタイトルまたは歌手名を検索する。配信装置は検索したタイトルまたは歌手名に関する情報を携帯端末機へ送信する。携帯端末機は、送信された候補となるタイトルまたは歌手名に関する情報からタイトルの選択を受け付け、選択されたタイトルを配信装置へ送信する。
【００２０】
配信装置は、送信されたタイトルに対応する歌詞データを、タイトルに対応付けて歌詞データを記憶した歌詞データベースから読み出し、携帯端末機へ配信する。そして、携帯端末機は、ファイル名に係る楽曲の再生にあわせて、配信装置から配信される歌詞データを表示部に表示するので、ユーザは携帯端末機の入力部から文字等を入力することなく容易に希望する歌詞データを取得できる。
【００２１】
本発明にあっては、検索処理において、受信したファイル名と、楽曲データベースのタイトルまたは歌手名とを比較し、合致度を算出する。また、算出した合致度に基づき配信候補となる複数のタイトルまたは歌手名を抽出する。そして算出した合致度順に候補となるタイトルまたは歌手名を並び替え、この順にユーザに候補となるタイトルまたは歌手名に関する情報を提供するようにしたので、より精度の高い検索を実行することが可能となる。
【００２２】
本発明にあっては、抽出処理において、楽曲データベースから抽出した歌手名に対応するタイトルをさらに抽出する。そして、配信候補となるタイトルまたは歌手名及び抽出した歌手名に対応するタイトルをも外部へ送信するよう構成したので、ファイル名に基づき、タイトル及び歌手名双方の検索が可能となり、しかもその歌手名に対応するタイトルが配信候補として送信されるので、幅広い検索結果をユーザに提供することが可能となる。
【００２３】
本発明にあっては、合致度算出処理において、受信したファイル名と楽曲データベースのタイトルとを比較し、合致度を算出し所定の重みを付与する。また、受信したファイル名と歌手名とを比較し、合致度を算出し前記重みより小さい重みを付与する。つまり、ファイル名はタイトルに関連づけて名前付けがされる可能性が高いことに鑑み、ファイル名をキーとしたタイトルと歌手名との検索において、タイトルへ付与する重みを大きくするよう構成した。よって、より精度の高い検索結果に基づく歌詞を配信することが可能となる。
【００２４】
本発明にあっては、携帯端末機は、ファイル名と、選択したタイトルまたは該タイトルを特定するための識別情報とを対応付けて記憶するよう構成したので、再度歌詞データを表示する場合、ファイル名に対応付けられたタイトルまたは識別情報を基に、歌詞データが容易に取得される。
【発明の効果】
【００２５】
本発明にあっては、送信されたファイル名、並びに、楽曲データベースのタイトル及び歌手名に基づき配信候補となるタイトルまたは歌手名を検索して送信し、選択されたタイトルに対応する歌詞データを、歌詞データベースから読み出し、携帯端末機へ配信するので、ユーザは携帯端末機の入力部から文字等を入力することなく容易に希望する歌詞データを取得できる。これにより、ユーザの操作負担が軽減され、気軽に歌詞データをダウンロードしてカラオケを楽しむことができる。
【００２６】
本発明にあっては、検索処理において、合致度を算出し、算出した合致度に基づき配信候補となる複数のタイトルまたは歌手名を抽出し、算出した合致度順に配信候補となるタイトルまたは歌手名を並び替え、この順にユーザに候補となるタイトルまたは歌手名に関する情報を提供するようにしたので、より精度の高い検索を実行することが可能となる。
【００２７】
本発明にあっては、楽曲データベースから抽出した歌手名に対応するタイトルをさらに抽出し、配信候補となるタイトルまたは歌手名及び抽出した歌手名に対応するタイトルをも外部へ送信するよう構成したので、ファイル名に基づき、タイトル及び歌手名双方の検索が可能となり、しかもその歌手名に対応するタイトルが候補として送信されるので、幅広い検索結果をユーザに提供することが可能となる。またユーザが特に文字等を入力しなくとも、タイトルまたは歌手名に紐付くタイトルまでもが容易に候補として得られ、ユーザに幅広い選択肢を提供することが可能となる。
【００２８】
本発明にあっては、ファイル名はタイトルに関連づけて名前付けがされる可能性が高いことに鑑み、ファイル名をキーとしたタイトルと歌手名との検索において、タイトルへ付与する重みを大きくするよう構成したので、より精度の高い検索結果に基づく歌詞を配信することが可能となる。これにより、異なる重み付けによる合致度に従う並び替えにより、ユーザはより可能性の高いタイトルを選択することが可能となる。
【００２９】
本発明にあっては、携帯端末機は、ファイル名と、選択したタイトルまたは該タイトルを特定するための識別情報とを対応付けて記憶するよう構成したので、再度歌詞データを表示する場合、ファイル名に対応付けられたタイトルまたは識別情報を基に、歌詞データが取得される。これにより再度歌詞データを表示する場合、再度検索することなく容易に歌詞データを取得することが可能となる等、本発明は優れた効果を奏する。
【発明を実施するための最良の形態】
【００３０】
実施の形態１
以下本発明の実施の形態を、図面を参照して説明する。図１は本発明に係る配信システムの概要を示す模式図である。Ｓは本発明に係る配信システムであり、楽曲にあわせて表示される歌詞データを配信する配信装置１、インターネット及び携帯電話回線網等を含む通信網Ｎ、並びに、携帯端末機２，２，２・・・を含んで構成される。配信装置１は、例えばサーバコンピュータが用いられる。以下では配信装置１をサーバコンピュータ１であるものとして説明する。携帯端末機２は例えば、携帯電話機、ＰＤＡ(Personal Digital Assistance)、表示部を備える可搬型オーディオプレーヤまたは可搬型ゲーム機等であり、一般のカラオケ店舗に設置されるモニタより小型の表示画面を備える可搬型の携帯端末機である。本実施の形態においては、携帯端末機２を携帯電話機２であるものとして説明する。
【００３１】
サーバコンピュータ１は楽曲データを、携帯電話機２からのリクエストに応じて通信網Ｎを介して配信する。携帯電話機２のユーザは楽曲データに加えて、歌詞データの配信を希望する場合は、後述するように楽曲のファイル名を検索キーとしてサーバコンピュータ１へ送信し、サーバコンピュータ１は送信されたファイル名を基に検索を行い配信候補となるタイトルまたは歌手名に関する情報を携帯電話機２へ送信する。ユーザは自身が希望するタイトルを選択し、サーバコンピュータ１へその情報を送信する。サーバコンピュータ１は選択されたタイトルに対応する歌詞データを配信する。ユーザは楽曲の再生に合わせてこの配信された歌詞データを閲覧することができる。なお、歌詞データの配信は、歌詞データを携帯電話機２へダウンロードさせて記憶させる形態の他、完全に記憶させないストリーミング方式により配信する形態であっても良い。以下ではストリーミング方式による配信を適用する形態につき説明する。
【００３２】
図２はサーバコンピュータ１のハードウェア構成を示すブロック図である。サーバコンピュータ１は、制御部としてのＣＰＵ(Central Processing Unit)１１、ＲＡＭ(Random Access Memory)１２、入力部１３、表示部１４、通信部１６及び記憶部１５を含んで構成される。ＣＰＵ１１は、バス１７を介してサーバコンピュータ１のハードウェア各部と接続されていて、それらを制御すると共に、記憶部１５に格納された制御プログラム１５Ｐに従って、携帯電話機２から要求される各ソフトウェア処理を実行する。
【００３３】
表示部１４は例えば液晶ディスプレイ等であり、入力部１３はキーボード及びマウス等から構成される。通信部１６はモデムまたはＬＡＮカード等であり、通信網Ｎを介して携帯電話機２との間でＣＰＵ１１からの指示に従い各種情報を送受信する。記憶部１５は例えばハードディスクで構成され、内部には上述した制御プログラム１５Ｐが記憶されている。ＲＡＭ１２は任意のアドレスを指定して読み書きすることが可能な半導体メモリである。
【００３４】
また通信部１６には楽曲データベース１５１及び歌詞データベース１５２が接続されており、ＣＰＵ１１は、楽曲データベース１５１または歌詞データベース１５２のフィールドのキーを関連づけたスキーマにおいてＳＱＬ（Structured Query Language）を用いて対話することにより、必要な情報を検索及び抽出する。なお、本実施の形態においては楽曲データベース１５１及び歌詞データベース１５２を、サーバコンピュータ１からアクセス可能なデータベースとして記載しているが、これらデータベースを記憶部１５内部に設けても良い。また説明を容易にするために、楽曲データベース１５１と歌詞データベース１５２とを分けて記載しているが、一体的にこれらのデータベースを構築してもよいことはもちろんである。なお、楽曲データベース１５１及び歌詞データベース１５２の詳細については後述する。
【００３５】
図３は携帯電話機２のハードウェア構成を示すブロック図である。携帯電話機２は、制御部としてのＣＰＵ２１、ＲＡＭ２２、入力部２３、表示部２４、通信部２６、マイク２８、スピーカ２９及び記憶部２５を含んで構成される。ＣＰＵ２１は、バス２７を介して携帯電話機２のハードウェア各部と接続されていて、それらを制御すると共に、記憶部２５に格納された制御プログラム２５２に従って、種々のソフトウェア的機能を実行する。
【００３６】
表示部２４は例えば液晶ディスプレイ等であり、入力部２３はプッシュボタン等により構成される。なお、タッチパネルのように表示部２４と入力部２３とを一体的に構成するようにしても良い。スピーカ２９は楽曲データ、通話データ、またはマイク２８から入力された音声に係る音声信号を増幅して出力する。マイク２８は外部から入力された音声信号を電気信号へ変換する。変換後の電気信号は図示しないＡ／Ｄ変換器によりデジタルデータへ変換されてＣＰＵ２１へ出力される。通信部２６は高周波送受信部及びアンテナ等を備え、楽曲データまたは歌詞データ等を含む各種データの送受信を行う。記憶部２５はハードディスクまたはメモリが用いられ楽曲ファイル２５１が記憶されている。なお、楽曲ファイル２５１の詳細については後述する。
【００３７】
図４は楽曲データベース１５１のレコードレイアウトを示す説明図である。楽曲データベース１５１はタイトルフィールド、歌手名フィールド及び識別情報フィールドを含んで構成される。タイトルフィールドには、楽曲のタイトルが記憶されている。例えば「Everything」、「I like everything.」等が記憶されている。また歌手名フィールドにはタイトルに対応付けて歌手名が記憶されている。例えばタイトル「Everything」に対応付けて歌手名「Misia」の他、タイトル「AAA」に対応付けて歌手名「Everything OK」が記憶されている。識別情報フィールドには、タイトル及び歌手名に対応付けて楽曲を特定するための固有の識別情報が記憶されている。例えばタイトル「Everything」、歌手名「Misia」に対応付けて識別情報「EMISIA」が記憶されている。識別情報は固有の情報であり楽曲毎に固有の情報が付与される。
【００３８】
図５は歌詞データベース１５２のレコードレイアウトを示す説明図である。歌詞データベース１５２は識別情報フィールド、タイトルフィールド及び歌詞データフィールドを含んで構成される。識別情報フィールド及びタイトルフィールドについては楽曲データベース１５１と同様であるので説明を省略する。歌詞データフィールドには、識別情報及びタイトルに対応付けて、楽曲に対応する歌詞データがテキスト形式で記憶されている。なお、本実施の形態においては、図５に示す如く、歌詞データベース１５２は、識別情報に対応付けてタイトル及び歌詞データの双方を記憶しているが、識別情報とタイトルとを対応付けたデータベース（図示せず）、及び、識別情報と歌詞データとを対応付けたデータベース（図示せず）をそれぞれ個別に設け、これらをまとめて歌詞データベース１５２としても良い。
【００３９】
図６は楽曲ファイル２５１のレコードレイアウトを示す説明図である。楽曲ファイル２５１はファイル名フィールド及び楽曲データフィールドを含んで構成される。ファイル名はユーザがダウンロードした楽曲データのファイル名が記憶されている。なお、ファイル名に付随する拡張子の記載は省略している。このファイル名は楽曲を配信するサービス提供者により任意に名付けられるものであり、タイトル、歌手名、タイトルの一部等が適宜付与される。
【００４０】
例えば、ファイル名には「Everything.XXX」等が記憶されている。なお、XXXは拡張子である。楽曲データフィールドには、ファイル名に対応付けて楽曲データが記憶されている。
【００４１】
ユーザが楽曲を再生する場合、ＣＰＵ２１は制御プログラム２５２を起動し、楽曲ファイル２５１のファイル名を読み出して表示部２４に表示する。表示部２４には、ファイル名が一覧表示される。ユーザは入力部２３から再生を希望するファイル名を選択する。ＣＰＵ２１はこのファイルの選択を受け付け、受け付けたファイルに対応する楽曲データを楽曲ファイル２５１から読み出し、スピーカ２９を通じて楽曲データを出力する。
【００４２】
ユーザが歌詞データの配信を希望する場合、表示部２４に表示されたファイル名を選択する。ＣＰＵ２１は、サーバコンピュータ１と通信を確立し、このファイル名をサーバコンピュータ１へ送信する。サーバコンピュータ１のＣＰＵ１１はこの送信されたファイル名を受信し、制御プログラム１５Ｐに従い検索を開始する。ＣＰＵ１１は受信したファイル名に基づき、楽曲データベース１５１のタイトル及び歌手名を検索する。具体的には、ＣＰＵ１１は、ファイル名を基に、タイトルフィールドのタイトルと比較し合致度を算出する。これはテキストデータであるファイル名の各文字と、同じくテキストデータであるタイトルの各文字とを比較し完全に一致する場合は、合致度が最も高く、一部一致の場合は、完全に一致する場合より合致度が低く算出される。
【００４３】
例えば、ファイル名「Everything」について検索する場合、タイトル「Everything」は完全一致であるので１００と算出され、タイトル「I like everything.」については一部一致で８０と算出され、タイトル「Everything（オルゴールバージョン）」についても一部一致で８０とそれぞれ合致度が算出される。なお、タイトル「ＡＡＡ」に関しては全く一致しないので合致度が０となる。
【００４４】
ＣＰＵ１１は同様に、ファイル名を基に歌手名フィールドについても合致度を算出する。歌手名「Misia」は全く一致しないので合致度は０と算出される。一方歌手名「Everything OK」は一部一致であるので合致度は８０と算出される。ＣＰＵ１１はこのようにして合致度が算出された「タイトル」及び「歌手名」を検索結果の候補として抽出する。続いてＣＰＵ１１は配信候補に対し重み付け処理を行う。この重み付け処理はファイル名とタイトルとに基づき算出した合致度に「１．０」の重みを乗じ、ファイル名と歌手名とに基づき算出した合致度に「１．０」より小さい「０．８」の重みを乗じる。なお、本実施の形態においては、ＣＰＵ１１が重み付けの付与手段として、重みを乗じる処理を行ったが、重みを加算する処理であっても良い。また、この重みは記憶部１５に記憶されており、適宜の値を入力部１３から入力することができる。
【００４５】
重み付け処理前の合致度はタイトル「Everything」が１００、タイトル「I like everything.」及び「Everything（オルゴールバージョン）」が共に８０であり、歌手名「Everything OK」が８０である。重み付け処理された場合、重み付け処理後の合致度は、タイトル「Everything」が重み１．０を乗じて１００、タイトル「I like everything.」及び「Everything（オルゴールバージョン）」が共に重み１．０を乗じて８０であり、歌手名「Everything OK」が重み０．８を乗じて６４である。
【００４６】
ＣＰＵ１１は候補となる歌手名に対応するタイトルを読み出す。図４の例では歌手名「Everything OK」に対応するタイトル「AAA」、「BBB」及び「CCC」が候補として抽出され、結果的に候補となるタイトルはこれら歌手名「Everything OK」に対応する「AAA」、「BBB」及び「CCC」、並びに「Everything」、「I like everything.」、及び「Everything（オルゴールバージョン）」となる。ＣＰＵ１１はこれらの候補を合致度順に並び替える処理を行う。この例では、合致度１００のタイトル「Everything」、合致度８０のタイトル「I like everything.」、及び「Everything（オルゴールバージョン）」、次いで合致度６４の歌手名「Everything OK」に対応する「AAA」、「BBB」及び「CCC」の順に並び替えられる。
【００４７】
ＣＰＵ１１は、タイトルに対応する歌手名を楽曲データベース１５１から読み出す。そして、ＣＰＵ１１はこの並び替え処理した候補であるタイトル及び該タイトルに対応する歌手名、並びに、歌手名に対応するタイトルを、通信網Ｎを介して携帯端末機２へ送信する。この場合、ＣＰＵ１１はタイトルに対応する識別情報を楽曲データベース１５１から読み出し、タイトルに対応付けてあわせて携帯端末機２へ送信する。なお、重み付け処理及び並び替え処理は必要に応じて実施すればよい。携帯端末機２のＣＰＵ２１は、送信されたタイトル及び歌手名に対応するタイトルを受信し、表示部２４に検索結果として表示する。
【００４８】
図７は検索結果のイメージを示す説明図である。図７に示すようにサーバコンピュータ１から送信される検索結果データは例えばＨＴＭＬ（HyperText Markup Language）形式で記述されており、携帯端末機２のＣＰＵ２１はＨＴＭＬ形式の文章を解釈して表示部２４へ表示する。図に示すように、重み付けされた合致度順にタイトル及びタイトルに対応する歌手名、並びに、歌手名及び歌手名に対応するタイトルが列記される。各タイトルにはハイパーリンクが設定されており、このハイパーリンクの一部には識別情報が記述されている。これは例えばEverything（Misia）に関してはhttp://www.XXXXX.title/EMISIA等と記述すればよい。
【００４９】
ユーザは入力部２３を用いて、配信を希望する歌詞データのタイトルを選択する。ＣＰＵ２１は入力部２３からタイトルの選択を受け付ける。ＣＰＵ２１は、選択されたタイトルに係る識別情報が付与されたハイパーリンクに従い、サーバコンピュータ１へアクセスする。サーバコンピュータ１のＣＰＵ１１は送信されたハイパーリンク内の識別情報を抽出し、歌詞データベース１５２を検索して対応する歌詞データをＲＡＭ１２に展開する。
【００５０】
ユーザが楽曲の再生を開始する場合、携帯端末機２のＣＰＵ２１は、楽曲ファイル２５１から選択されたタイトルに係るファイル名に対応する楽曲データの再生を開始すると共に、サーバコンピュータ１のＣＰＵ１１から歌詞データのストリーミング配信を受ける。具体的にはＣＰＵ２１は楽曲データの再生開始信号をサーバコンピュータ１のＣＰＵ１１へ出力し、これをトリガーにＣＰＵ１１はＲＡＭ１２に展開した歌詞データを逐次配信し、携帯端末機２のＣＰＵ２１はこの配信される歌詞データを受信して、表示部２４に表示する。なお、歌詞データをダウンロードする場合は、携帯端末機２のＣＰＵ２１はダウンロードした歌詞データを記憶部２５の楽曲ファイル２５１にファイル名に対応付けて記憶し、楽曲データの再生をトリガーにこの歌詞データを表示部２４へ表示するようにすればよい。
【００５１】
図８は検索後の楽曲ファイル２５１のレコードレイアウトを示す説明図である。図８に示すように、検索が終了した後は、ファイル名フィールド及び楽曲データフィールドに加えて、タイトルフィールド、歌手名フィールド、及び識別情報フィールドがＣＰＵ２１の指示により新たに生成される。そしてＣＰＵ２１は、ファイル名を基に検索され、ユーザにより選択されたタイトル、歌手名及び識別情報をそれぞれ、タイトルフィールド及び歌手名フィールド、及び識別情報フィールドに記憶する。これにより、ファイル名に対応付けて、タイトル、歌手名及び識別情報が楽曲ファイル２５１に記憶される。上述の例であれば、ファイル名「Everything」に対応付けてタイトル「Everything」、歌手名「Misia」及び識別情報「EMISIA」が記憶される。
【００５２】
図９はお気に入りの画面イメージを示す説明図である。ＣＰＵ２１は再度ファイル名が選択された場合、ファイル名に対応するタイトル、歌手名及び識別情報を、楽曲ファイル２５１から読み出し、タイトル、歌手名及び識別情報が記述されたハイパーリンクからなるＨＴＭＬ形式の文章を生成して表示部２４に表示する。図９に示すようにタイトル「Everything」、歌手名「Misia」及びハイパーリンクがお気に入りとして表示される。なお、このハイパーリンクには識別情報が記述されている。ユーザは、歌詞データのストリーミング配信を希望する場合、入力部２３からハイパーリンクをクリックする。
【００５３】
ＣＰＵ２１は入力されたハイパーリンクに従い、サーバコンピュータ１へアクセスする。ＣＰＵ２１は通信確立後、楽曲ファイル２５１から識別情報に対応する楽曲データを読み出し、楽曲の再生を開始し、楽曲データの再生開始信号をサーバコンピュータ１へ送信する。サーバコンピュータ１のＣＰＵ１１は送信された識別情報を基に、携帯端末機２へ歌詞データベース１５２から読み出した歌詞データをストリーミング配信する。このように一度検索が終了したファイル名については、検索結果であるタイトルを表示するようにしたので、ユーザは容易に歌詞データのストリーミング配信を楽しむことができる。
【００５４】
ユーザがストリーミング配信ではなく、歌詞データをダウンロードした場合、ＣＰＵ２１は入力部２３から図９に示すタイトルの選択を受け付け、このタイトルに対応する楽曲データ及びダウンロードした歌詞データを楽曲ファイル２５１から読み出し、楽曲の再生にあわせて、歌詞データを表示部２４に表示する。なお、図９において、識別情報を付加しないハイパーリンクを設定しても良く、この場合ＣＰＵ２１は選択されたタイトルをサーバコンピュータ１へ送信し、サーバコンピュータ１のＣＰＵ１１は送信されたタイトルに基づき、歌詞データベース１５２を検索し、歌詞データを配信するようにすればよい。
【００５５】
以上のハードウェア構成において、本発明に係る検索処理の手順を、フローチャートを用いて説明する。図１０及び図１１は検索処理の手順を示すフローチャートである。ユーザは携帯電話機２の入力部２３から制御プログラム２５２を起動する。ＣＰＵ２１は制御プログラム２５２に従い、楽曲ファイル２５１からファイル名を読み出し、表示部２４へ表示する（ステップＳ１０１）。ユーザは入力部２３を操作して、検索を行うファイル名を選択する。ＣＰＵ２１は入力部２３からファイル名の選択を受け付ける（ステップＳ１０２）。ＣＰＵ２１はサーバコンピュータ１との間で通信を確立し、入力されたファイル名をサーバコンピュータ１へ送信する（ステップＳ１０３）。
【００５６】
サーバコンピュータ１のＣＰＵ１１は送信されたファイル名を受信する（ステップＳ１０４）。ＣＰＵ１１は制御プログラム１５Ｐを起動し、検索処理を開始する。まずＣＰＵ１１は、楽曲データベース１５１のタイトルフィールドを検索しファイル名とタイトルとを比較し合致度を算出する（ステップＳ１０５）。ＣＰＵ１１は各タイトルについて順次合致度を算出し、算出した合致度をＲＡＭ１２に記憶する。ＣＰＵ１１は楽曲データベース１５１の歌手名フィールドを検索しファイル名と歌手名とを比較し合致度を算出する（ステップＳ１０６）。ＣＰＵ１１は各歌手名について順次合致度を算出し、算出した合致度をＲＡＭ１２に記憶する。なお、この合致度の算出は上述した如く、ファイル名とタイトルまたは歌手名とを構成する各文字を一字一字比較し、双方の文字が一致する場合に合致度を高く、一致しない場合に合致度を低く付与し、これを構成される全ての文字について行い、各文字の合致度を加算すること等により行えばよい。また、この重みの値は適宜変更しても良く、また歌手名にタイトルよりも大きい重みを付与するようにしても良い。
【００５７】
ＣＰＵ１１はＲＡＭ１２に記憶したタイトルに関する各合致度に記憶部１５に記憶した重みを付与する（ステップＳ１０７）。これは上述したように算出した合致度に重み１．０を乗ずる等すればよい。また、ＣＰＵ１１はＲＡＭ１２に記憶した歌手名に関する各合致度に記憶部１５に記憶した重みより小さい重みを付与する（ステップＳ１０８）。これは上述したように算出した合致度に重み０．８を乗ずる等すればよい。ＣＰＵ１１はＲＡＭ１２に記憶したタイトル及び歌手名に係る合致度順に、候補となるタイトル及び歌手名を抽出する（ステップＳ１０９）。この処理は、例えば合致度上位１０％のタイトル及び歌手名を抽出するようにするほか、合致度が所定値以上のタイトル及び歌手名を抽出するようにすればよい。
【００５８】
ＣＰＵ１１は抽出したタイトル及び歌手名を合致度順に並び替えを行う（ステップＳ１０１０）。そして、ＣＰＵ１１は楽曲データベース１５１から候補のタイトルに対応する歌手名、候補の歌手名に対応するタイトルを抽出し、これら候補となる各タイトルに対応する識別情報を楽曲データベース１５１から抽出する（ステップＳ１０１１）。ＣＰＵ１１はこの抽出したタイトル及びタイトルに対応する歌手名、歌手名及び歌手名に対応するタイトル、並びに各タイトルに対応する識別情報を携帯電話機２へ送信する（ステップＳ１０１２）。なお、これらの情報はＨＴＭＬ形式で記述されて送信され、識別情報を含むハイパーリンクが各タイトルに付与されている。携帯電話機２のＣＰＵ２１は送信されたタイトル及びタイトルに対応する歌手名、歌手名及び歌手名に対応するタイトル、並びに各タイトルに対応する識別情報を受信し（ステップＳ１０１３）、ＲＡＭ２１に記憶する。なお、サーバコンピュータ１から携帯電話機２へ送信する情報は、場合により、タイトル及びタイトルに付随する歌手名、または歌手名及び歌手名に付随するタイトルのいずれかであっても良い。
【００５９】
図１２は楽曲の再生処理及び歌詞データの表示処理の手順を示すフローチャートである。携帯電話機２のＣＰＵ２１はＨＴＭＬ形式で記述された文章を解析し、タイトル及びタイトルに対応する歌手名、歌手名及び歌手名に対応するタイトル、並びに各タイトルに対応する識別情報のハイパーリンクを図７の如く表示部２４に表示する（ステップＳ１１１）。ユーザは希望するタイトルを入力部２３から選択する。ＣＰＵ２１はタイトルの選択を受け付け（ステップＳ１１２）、このタイトルまたはタイトルに付随するハイパーリンクに記述された識別情報をサーバコンピュータ１へ送信する（ステップＳ１１３）。
【００６０】
サーバコンピュータ１のＣＰＵ１１は送信されたタイトルまたは識別情報を受信し、受信したタイトルまたは識別情報に対応する歌詞データを歌詞データベース１５２から読み出し（ステップＳ１１４）、ＲＡＭ１２に展開する。ＣＰＵ１１は歌詞データの読み出しが完了したことを示す読み出し完了信号を携帯電話機２へ送信する（ステップＳ１１５）。携帯電話機２のＣＰＵ２１はこの読み出し完了信号を受けてステップＳ１０２で選択を受け付けたファイル名に対応する楽曲データを楽曲ファイル２５１から読み出し（ステップＳ１１６）、ＲＡＭ２２に展開する。そしてＣＰＵ２１はＲＡＭ２２に展開された楽曲データの再生を開始しデータをスピーカ２９へ出力すると共に、再生を開始したことを示す再生開始信号をサーバコンピュータ１へ送信する（ステップＳ１１７）。
【００６１】
サーバコンピュータ１のＣＰＵ１１はＲＡＭ１２に展開した歌詞データを逐次読み出し、歌詞データを携帯電話機２へストリーミング配信する（ステップＳ１１８）。携帯電話機２のＣＰＵ２１は歌詞データを逐次受信し、受信した歌詞データを表示部２４に表示する（ステップＳ１１９）。
【００６２】
図１３は検索結果を記憶する処理手順を示すフローチャートである。ステップＳ１１２で述べた処理と同じく、携帯電話機２のＣＰＵ２１はタイトルの選択を受け付ける（ステップＳ１１２）。そして、図８に示す如く、受け付けたタイトル、歌手名及び識別情報をステップＳ１０２で選択を受け付けたファイル名に対応付けて、楽曲ファイル２５１に記憶する（ステップＳ１２２）。これにより、一度検索が終了したファイル名には、タイトル、歌手名及び識別情報が対応付けられることになる。なお、歌詞データをストリーミング配信ではなくダウンロードする場合は、受け付けたタイトル、歌手名、識別情報及びダウンロードした歌詞データがステップＳ１０２で選択を受け付けたファイル名に対応付けて、楽曲ファイル２５１に記憶される。
【００６３】
ユーザは再度楽曲を再生する場合、以下の手順により歌詞データを表示する。ＣＰＵ２１は制御プログラム２５２を起動し、表示部２４に楽曲ファイル２５１から読み出したファイル名を表示する（ステップＳ１２３）。ユーザは再生を希望するファイル名を選択する。ＣＰＵ２１は選択されたファイル名を受け付ける（ステップＳ１２４）。ＣＰＵ２１は楽曲ファイル２５１から、ステップ１２２で記憶したタイトル、歌手名及び識別情報を表示部２４に表示する（ステップＳ１２５）。この場合、図９に示す如く、タイトルに、識別情報が記述されたハイパーリンクを表示するようにすればよい。
【００６４】
ユーザは表示されたタイトルから歌詞データの表示を希望するタイトルを、入力部２３を用いて選択する。ＣＰＵ２１は入力部２３からタイトルまたは識別情報の選択を受け付ける（ステップＳ１２６）。ＣＰＵ２１は受け付けたタイトル、またはハイパーリンクに記述された識別情報をサーバコンピュータ１へ送信する（ステップＳ１２７）。以降の楽曲の再生及び歌詞データの配信処理についてはステップＳ１１４乃至ステップＳ１１９と同様であるので説明は省略する。なお、ストリーミング配信ではなく歌詞データをダウンロードした場合は、ステップＳ１２６でタイトルまたは識別情報の選択を受け付けた後、ＣＰＵ２１は楽曲ファイル２５１からタイトルまたは識別情報に対応する楽曲データ及び歌詞データを読み出し、楽曲データの再生及び歌詞データの表示部２４への表示を行う。
【００６５】
実施の形態２
図１４は実施の形態２に係るサーバコンピュータ１の構成を示すブロック図である。実施の形態２に係るサーバコンピュータ１を動作させるためのコンピュータプログラムは、本実施の形態２のように、ＣＤ−ＲＯＭ、ＭＯ、またはＤＶＤ−ＲＯＭ等の可搬型記録媒体１Ａで提供することも可能である。さらに、コンピュータプログラムを、通信網Ｎを介して図示しないサーバコンピュータからダウンロードすることも可能である。以下に、その内容を説明する。
【００６６】
図１４に示すサーバコンピュータ１の図示しないリーダ／ライタに、ファイル名を受信させ、候補を検索させ、候補を送信させ、タイトルを受信させ、歌詞データを配信させるコンピュータプログラムが記録された可搬型記録媒体１Ａ（ＣＤ−ＲＯＭ、ＭＯ又はＤＶＤ−ＲＯＭ等）を、挿入して記憶部１５の制御プログラム１５Ｐ内にこのプログラムをインストールする。または、かかるプログラムを、通信部１６を介して外部の図示しないサーバコンピュータからダウンロードし、記憶部１５にインストールするようにしても良い。かかるプログラムはＲＡＭ１２にロードして実行される。これにより、上述のような本発明のサーバコンピュータ１として機能する。
【００６７】
本実施の形態２は以上の如き構成としてあり、その他の構成及び作用は実施の形態１と同様であるので、対応する部分には同一の参照番号を付してその詳細な説明を省略する。
【図面の簡単な説明】
【００６８】
【図１】本発明に係る配信システムの概要を示す模式図である。
【図２】サーバコンピュータのハードウェア構成を示すブロック図である。
【図３】携帯電話機のハードウェア構成を示すブロック図である。
【図４】楽曲データベースのレコードレイアウトを示す説明図である。
【図５】歌詞データベースのレコードレイアウトを示す説明図である。
【図６】楽曲ファイルのレコードレイアウトを示す説明図である。
【図７】検索結果のイメージを示す説明図である。
【図８】検索後の楽曲ファイルのレコードレイアウトを示す説明図である。
【図９】お気に入りの画面イメージを示す説明図である。
【図１０】検索処理の手順を示すフローチャートである。
【図１１】検索処理の手順を示すフローチャートである。
【図１２】楽曲の再生処理及び歌詞データの表示処理の手順を示すフローチャートである。
【図１３】検索結果を記憶する処理手順を示すフローチャートである。
【図１４】実施の形態２に係るサーバコンピュータの構成を示すブロック図である。
【符号の説明】
【００６９】
１      サーバコンピュータ（配信装置）
１Ａ    可搬型記録媒体
２      携帯電話機（携帯端末機）
１１    ＣＰＵ（制御部）
１３    入力部
１４    表示部
１５    記憶部
１５Ｐ  制御プログラム
１６    通信部
２１    ＣＰＵ（制御部）
２３    入力部
２４    表示部
２５    記憶部
２６    通信部
２８    マイク
２９    スピーカ
１５１  楽曲データベース
１５２  歌詞データベース
２５１  楽曲ファイル
Ｎ      通信網
Ｓ      配信システム
【図１】
0005175446.tif 000002
【図２】
0005175446.tif 000003
【図３】
0005175446.tif 000004
【図４】
0005175446.tif 000005
【図５】
0005175446.tif 000006
【図６】
0005175446.tif 000007
【図７】
0005175446.tif 000008
【図８】
0005175446.tif 000009
【図９】
0005175446.tif 000010
【図１０】
0005175446.tif 000011
【図１１】
0005175446.tif 000012
【図１２】
0005175446.tif 000013
【図１３】
0005175446.tif 000014
【図１４】
0005175446.tif 000015